(57)【要約】      （修正有）【課題】廃棄時に焼却を必要とせず、漂流ゴミになりやすい発泡スチロールを使用せず、波浪や潮流の外力による応力集中が生じにくく、そのため捩じれ等の変形、破損、流出が生じにくく、波浪による振動が小さく、そのため養殖対象貝の生育が良く、構造がシンプルで、耐久性が高く長寿命化を実現可能な二枚貝養殖筏及び養殖方法を提供する。【解決手段】二枚貝養殖用の二枚貝養殖筏１であって、二枚貝養殖用の垂下連１０を２連以上垂下可能な躯体２ａを備え、躯体２ａを水面に浮かせたときの躯体２ａ自体の有効浮力を、躯体２ａ自体に直接結束して垂下させる複数の垂下連１０の合計の水中重量より大きくした二枚貝養殖筏１及び二枚貝養殖筏１を使用した二枚貝養殖方法。【選択図】図８
2020150857.tif 000002
【特許請求の範囲】
【請求項１】
二枚貝養殖用の二枚貝養殖筏であって、
二枚貝養殖用の垂下連を２連以上垂下可能な躯体を備え、
前記躯体を水面に浮かせたときの前記躯体自体の有効浮力を、前記躯体自体に直接結束して垂下させる複数の前記垂下連合計の水中重量より大きくすることを特徴とする二枚貝養殖筏。
【請求項２】
前記躯体の形状が、平面視で環状体、又は、複数の環状体を組み合わせた形状であることを特徴とする請求項１に記載の二枚貝養殖筏。
【請求項３】
前記躯体の形状が、平面視で略円形状、又は、複数の略円形状を組み合わせた形状であることを特徴とする請求項１又は２に記載の二枚貝養殖筏。
【請求項４】
前記躯体の形状が、平面視で線状体、又は、複数の線状体を組み合わせた形状であることを特徴とする請求項１に記載の二枚貝養殖筏。
【請求項５】
前記躯体の材料が水に腐食しにくい樹脂製パイプであることを特徴とする請求項１〜４のいずれかに記載の二枚貝養殖筏。
【請求項６】
前記垂下連が二枚貝を収容可能で、壁面すべてが水流出入可能な形状に形成された養殖容器で構成されていることを特徴とする請求項１〜５のいずれかに記載の二枚貝養殖筏。
【請求項７】
躯体自体に二枚貝養殖用の垂下連を２連以上垂下させ、
前記躯体を水面に浮かせたときの前記躯体自体の有効浮力を、前記躯体自体に直接結束して垂下させる複数の前記垂下連の合計の水中重量より大きくすることにより、前記躯体自体の有効浮力のみで複数の前記垂下連を垂下可能とさせることを特徴とする二枚貝養殖方法。
【発明の詳細な説明】
【技術分野】
【０００１】
本発明は、二枚貝を養殖するときに使用する二枚貝養殖筏及び養殖方法に関する。
【背景技術】
【０００２】
海面養殖には、海中に存在するプランクトン等の餌を食して生育しやすくした、二枚貝等の貝類を養殖する無給餌養殖と、人が餌を与えて育成させる、魚類を養殖する給餌養殖とがある。
【０００３】
本発明と同じように二枚貝養殖に使用する無給餌養殖の分野においては、一般的に広く使用されている牡蠣筏は、例えば孟宗竹を縦横に組み合わせた格子状にし、縦横の交差個所を針金で止めて筏を作り、その筏を下方から発泡スチロール等のフロートで支持し水面に浮かせている。前記筏に牡蠣の垂下連を垂下させて養殖する。
【０００４】
特許文献１には、軟質のポリエチレン製筒状パイプを複数本、または、硬質ポリエチレン製筒状パイプを複数本継いだパイプを複数本、を用いて親パイプとし、硬質のポリエチレン製筒状パイプを複数本を用いて子パイプとして、これらを格子状に組み立て、クロス部には連結具で締めつけ固定し、子パイプの両端には、蓋を装着し、前記連結具の下側に発泡スチロール等のフロートを配設する二枚貝である牡蠣の養殖用ポリエチレン製筏が開示されている。
【０００５】
特許文献２には、発泡スチロール等のフロートと、一列に並ぶフロート上に固定されるレールよりなる群と、並行して配置した各群のレール上に該レールと直行して適当間隔で固定される横なると、該横なる上に横なると直交して適当間隔で固定される押えよりなり、二枚貝である牡蠣の幼生が付着する採苗器を連ねた採苗連或いは牡蠣の種付着器を連ねた垂下連を海中に吊下げるかき養殖用の牡蠣筏において、孟宗竹よりなるレール、横なる及び押えのうち、少なくとも一部を孟宗竹に換えて樹脂管とした牡蠣筏が開示されている。
【０００６】
一方、魚類を養殖する給餌養殖の分野においては、特許文献３には、一定の海域を枠で囲い、該枠に網を設置してその網内で魚介類の養殖を行うための生簀において、該枠を構成する枠体を、剛性構造を有する合成樹脂製部材から構成した生簀が開示されている。前記枠体は、パイプ状に形成された合成樹脂製部材と、該合成樹脂製部材の内側に鋼製の芯部材が配置された二重構造からなり、前記枠体は発泡スチロール等のフロート上に設置されている。
【０００７】
特許文献４には、棒状の補強弾性部材を接続してなる外径の異なる環状枠体を、複数個用いて多重円形構造とし、内側と外側の環状枠体同士を、少なくとも径方向へ弾性変形可能な連結部材によって連結した生簀枠が開示されている。前記環状枠体は発泡スチロール等のフロート上に設置されている。
【０００８】
また、非特許文献１には、魚類を養殖する給餌養殖の分野であるが、外洋大型浮沈生簀に高密度ポリエチレンパイプを使用していることが開示されている。
【０００９】
したがって、貝類を養殖する無給餌養殖の場合は、貝がついたロープやワイヤー又は貝を収納した養殖容器等の垂下連を収穫増の目的で多数垂下させるために、前記垂下連の垂下の間隔を可能な限り狭くして垂下できるように縦横の棒状体からなる格子状が貝類を養殖する当業者間で常識的に一般的に使用され、前記筏を構成する前記棒状体には給餌養殖に使用する網に比較して重量的に重い前記垂下連を垂下させても海面に浮かぶことができるように発泡スチロール等のフロートを必須構成要件としている。一方、魚類を養殖する給餌養殖の場合は、魚類が逃げないように周囲を網で囲み、網に囲まれた水域には魚類が泳ぐときに支障にならないように垂下物を垂下させない生簀が魚類を養殖する当業者間で常識的に一般的に使用され、前記生簀の枠には無給餌養殖に使用する二枚貝の垂下連に比較して重量的に軽い網が設置されている。
【先行技術文献】
【特許文献】
【００１０】
【特許文献１】実新登録第３０５９９１９号公報
【特許文献２】特開２００８−１５４４６６号公報
【特許文献３】特開２００４−１６１２３号公報
【特許文献４】特開平５−２０７８３４号公報
【非特許文献】
【００１１】
【非特許文献１】日東製網株式会社ホームページ養殖網の説明文
【発明の概要】
【発明が解決しようとする課題】
【００１２】
広く普及している竹を格子状にした牡蠣筏を廃棄処分するときに、竹の適正な処理方法がないので竹を海辺で焼却処分をしており、特に広島県では県内に約１万台の牡蠣養殖筏が使用されて年間約２０００台の牡蠣筏の焼却処分が実施されていることから問題になっている。また、フロートの発泡スチロールが漂流ゴミになっており、竹を格子状にした牡蠣筏の廃棄物処理が問題になっている。
【００１３】
特許文献１の牡蠣養殖用ポリエチレン製筏、又は、特許文献２のかき筏は、いずれもフロートを構成要件としているため、例えば発泡スチロールを使用すると廃棄時の回収・処理コストが高くつくという問題があった。また、特許文献１の牡蠣養殖用ポリエチレン製筏は、軟質のポリエチレン製筒状パイプ又は硬質ポリエチレン製筒状パイプを多数本要した格子状の形態であるので、また、特許文献２のかき筏は、多数本の孟宗竹や多数本の樹脂管を格子状にした形態であるので、いずれの発明も大型の格子状の形態をしているため、波浪や潮流の外力によって前記格子状の縦横の交差するクロス部に応力集中が生じて、捩じれ等の変形、破損、流出が生じるという問題があった。
【００１４】
特許文献３の生簀又は特許文献４の生簀枠は、いずれの発明も、環状の枠体に重量的には軽量の生簀用網を設置するのみであるが、それでも前記環状枠体自体では沈下するので、前記環状枠体を発泡スチロール等のフロート上に設置しなければならないことから、例えばフロートとして発泡スチロールを使用すると廃棄時の回収・処理コストが高くつくという問題があった。このことから、無給餌養殖に使用する二枚貝の垂下連を前記枠には重量的に垂下困難であるという問題があった。また、網に囲まれた水域には魚類が泳ぐときに支障となる、二枚貝養殖用の垂下連を垂下できないという問題があった。
【００１５】
非特許文献１の生簀は、給餌養殖用の生簀であり、魚類が逃げないように水面を囲む枠に高密度ポリエチレンパイプを使用し、これに網を設置させており、前記網に囲まれた水域には魚類が泳ぐときに支障となる、二枚貝養殖用の垂下連を垂下できないという問題があった。また、前記枠は網のみを設置して支えることができる浮力を有しているが、重量的に重い二枚貝養殖用の垂下連を垂下できないという問題があった。
【００１６】
本発明はこうした問題に鑑み創案されたもので、廃棄時に焼却を必要とせず、漂流ゴミになりやすい発泡スチロールを使用せず、波浪や潮流の外力による応力集中が生じにくく、そのため捩じれ等の変形、破損、流出が生じにくく、波浪による振動が小さく、そのため養殖対象貝の生育が良く、構造がシンプルで、耐久性が高く長寿命化を実現可能な二枚貝養殖筏及び養殖方法を提供することを課題とする。
【課題を解決するための手段】
【００１７】
本発明における躯体とは、筏を構成する主要な部材であって筏の骨組みの機能を有するものを意味する。また、躯体自体の有効浮力とは、前記躯体自体をすべて水面下に沈めたと仮定したときの浮力から前記躯体自体の重量を引いた値を意味する。そして、垂下連とは、二枚貝、二枚貝を収容する容器、ロープ、ワイヤー等の二枚貝養殖に必要な資材であって筏に結束させて垂下させるものを意味する。
【００１８】
請求項１に記載の二枚貝養殖筏は、二枚貝養殖用の二枚貝養殖筏であって、二枚貝養殖用の垂下連を２連以上垂下可能な躯体を備え、前記躯体を水面に浮かせたときの前記躯体自体の有効浮力を、前記躯体自体に直接結束して垂下させる複数の前記垂下連合計の水中重量より大きくすることを特徴とする。
【００１９】
請求項２に記載の二枚貝養殖筏は、請求項１において、前記躯体の形状が、平面視で環状体、又は、複数の環状体を組み合わせた形状であることを特徴とする。
【００２０】
請求項３に記載の二枚貝養殖筏は、請求項１又は２において、前記躯体の形状が、平面視で略円形状、又は、複数の略円形状を組み合わせた形状であることを特徴とする。
【００２１】
請求項４に記載の二枚貝養殖筏は、請求項１において、前記躯体の形状が、平面視で線状体、又は、複数の線状体を組み合わせた形状であることを特徴とする。
【００２２】
請求項５に記載の二枚貝養殖筏は、請求項１〜４のいずれかにおいて、前記躯体の材料が水に腐食しにくい樹脂製パイプであることを特徴とする。
【００２３】
請求項６に記載の二枚貝養殖筏は、請求項１〜５のいずれかにおいて、前記垂下連が二枚貝を収容可能で、壁面すべてが水流出入可能な形状に形成された養殖容器で構成されていることを特徴とする。
【００２４】
請求項７に記載の二枚貝養殖方法は、躯体自体に二枚貝養殖用の垂下連を２連以上垂下させ、前記躯体を水面に浮かせたときの前記躯体自体の有効浮力を、前記躯体自体に直接結束して垂下させる複数の前記垂下連の合計の水中重量より大きくすることにより、前記躯体自体の有効浮力のみで複数の前記垂下連を垂下可能とさせることを特徴とする。
【発明の効果】
【００２５】
請求項１に記載の二枚貝養殖筏又は請求項７に記載の二枚貝養殖方法は、貝類を養殖する無給餌養殖の場合であるが、躯体を水面に浮かせたときの前記躯体自体の有効浮力を、前記躯体自体に直接結束して垂下させる複数の前記垂下連の合計の水中重量より大きくするので、発泡スチロール等のフロートを必要としないので廃棄時の回収・処理コストがかからないし漂流ゴミが発生しない。
【００２６】
また、筏の必要な構成要件が躯体である浮力体のみであるので複雑な形状でないので波浪や速い潮流で崩れにくい。また、発泡スチロールを使用していないので、台風などの強風や高い波浪や速い潮流で崩れず漂流ゴミとして飛散しない。
【００２７】
請求項２に記載の二枚貝養殖筏は、環状体の躯体に囲まれた範囲の水面が躯体の外側に比較して波浪が穏やかになるため二枚貝に与える外力が弱まり二枚貝の上下の揺動が減少し二枚貝の摂餌時間が長くなるため二枚貝の生育が促進され、牡蠣筏が、従来の竹筏の場合と本発明の躯体が環状体の二枚貝養殖筏の場合との収量を剥き身重量で比較すると、従来の竹筏の場合より本発明の躯体が環状体の二枚貝養殖筏の場合の方が、収量が増加するという効果を奏する。
【００２８】
請求項３に記載の二枚貝養殖筏は、躯体の形状が略円形状であるので、波浪や潮流の外力による応力集中が生じにくく、そのため捩じれ等の変形、破損、流出が生じにくい。略円形状の躯体を使用した場合は、二枚貝の収量が竹製の牡蠣筏に比較し増加し、かつ応力集中がないので躯体の耐久性が向上し長寿命化ができるという効果を奏する。
【００２９】
請求項４に記載の二枚貝養殖筏は、躯体の形状が線状体であるので、躯体の長さを複数の波の大きさよりも長くすることにより躯体に加わる波浪の影響を減少させることができ、二枚貝の生育に好影響をもたらすことができる。
【００３０】
請求項５に記載の二枚貝養殖筏は、廃棄時にリサイクル可能な材質であるので焼却や漂流等の問題が発生しないという効果を奏する。また、水に腐食しにくい高密度ポリエチレン等の樹脂製パイプであるので、竹製の牡蠣筏の耐用年数５年に比較し約６倍の耐用年数がある。
【００３１】
請求項６に記載の二枚貝養殖筏は、側面壁や底面壁や上面壁等のすべての壁面が水流出入可能な形状に形成された養殖容器を使用するので、前記養殖容器内にバラ置きした二枚貝に海水の流れが行きわたりどの二枚貝も十分に栄養源を摂取できることから、すべてのどの二枚貝も生育度が大きくなるという効果を奏する。
【図面の簡単な説明】
【００３２】
【図１】本発明の環状体の躯体を有した二枚貝養殖筏を示す平面視の図で、（ａ）が略円形状の躯体を有する二枚貝養殖筏を示す図で、（ｂ）が略四角枠状の躯体を有する二枚貝養殖筏を示す図である。
【図２】本発明の平面視で線状体の躯体を有する二枚貝養殖筏を示す図である。
【図３】本発明の線状体の躯体を有する二枚貝養殖筏の側面視を示す図である。
【図４】本発明の線状体の躯体を組み合わせた二枚貝養殖筏の平面視の図である。
【図５】本発明の２つの略円形状の躯体を組み合わせた形状の二枚貝養殖筏を示す平面視の図である。
【図６】本発明の３つの略円形状の躯体を略同心略円形状に組み合わせた形状の二枚貝養殖筏を示す平面視の図である。
【図７】本発明の３つの略円形状の躯体を略並列的に組み合わせた形状の二枚貝養殖筏を示す平面視の図である。
【図８】略円形状の躯体を有する二枚貝養殖筏に二枚貝を収容した養殖容器を垂下させた状態を示す図である。
【図９】線状体の躯体を有する二枚貝養殖筏に二枚貝を収容した養殖容器を垂下させた状態を示す図である。
【図１０】二枚貝を入れた養殖容器を積層させた垂下連の正面視の図である。
【図１１】躯体を構成する資材の一例を示す図である。
【図１２】躯体が略四角形状の環状体を組み合わせた場合の一例を示す平面視の説明図である。
【発明を実施するための形態】
【００３３】
本発明の二枚貝養殖筏１は、海面養殖であって無給餌養殖を実施する、牡蠣、ホタテ、真珠貝等の二枚貝１２を養殖するのに適する。
【００３４】
本発明の二枚貝養殖筏１は、二枚貝養殖用の二枚貝養殖筏１であって、二枚貝養殖用の垂下連１０を２連以上垂下可能な躯体２を備え、前記躯体２を水面に浮かせたときの前記躯体２自体の有効浮力を、前記躯体２自体に直接結束して垂下させる複数の前記垂下連１０の合計の水中重量より大きくしている。
【００３５】
前記躯体２自体に前記垂下連１０をロープ４等の拘束手段を用いて直接的に垂下させる。
【００３６】
前記躯体２を水面に浮かせたときの前記躯体２自体の有効浮力を、前記躯体２に垂下させる複数の前記垂下連１０の合計の水中重量より大きくしているので、発泡スチロール等のフロートが必要でなく、筏の構成要件として躯体２のみでよいので極めてシンプルな構造である。
【００３７】
また、二枚貝養殖筏１は、前記躯体２の形状が、例えば図１（a）や（ｂ）に示すように平面視で環状体（躯体２ａ、２ｂ）、又は、例えば図５に示すような平面視で複数の環状体を組み合わせた形状（躯体２ｇ、２ｆ）、あるいは、例えば図２や図３に示すような平面視で線状体（躯体２ｃ）、又は、例えば図４に示すような平面視で複数の線状体（２ｄ、２ｅ）を組み合わせた形状である。前記線状体の場合は、躯体２に加わる波浪の影響を減少させるために、躯体２の長さを複数の波の大きさよりも長くすることが好ましい。
【００３８】
図２に示すような線状体の躯体２ｃを複数組み合わせた場合は、躯体２ｃと同じ材質の拘束手段３ａで拘束する。なお、前記拘束手段３ａの材質は、樹脂製や金属製でもいいが、海上使用での耐久性を考慮すると樹脂製が好ましい。
【００３９】
二枚貝養殖に使用する無給餌養殖の場合の筏は、一般的に二枚貝１２の収量を可能限り多くさせるために筏の縦横に組んだ竹に垂下連を垂下させている。すなわち、筏の構成を考えるときには筏の中央部に多くの垂下連を垂下させるように考えていくのが貝類を養殖する当業者の考えであることから、環状体や線状体の躯体では、環状体の場合は中央水域に何も垂下できないと考え、線状体の場合は垂下可能な垂下連が少なくなると考えて、二枚貝１２の収量が減少するという考えとなり、躯体２を環状体や線状体にすることを、貝類を養殖する当業者は一般的に想到しない。発明者は、発泡スチロール不要の二枚貝養殖筏を何としても実現させたいという強い意志で初めて環状体や線状体の躯体２を想到することができた。
【００４０】
前記環状体の場合は、例えばポリエチレン製パイプの場合は曲げた躯体の両端部を密着させてバット融着をし、前記線状体の場合は、例えばポリエチレン製パイプの場合は直線状の躯体の両端部にポリエチレン製蓋を密着させてバット融着する。いずれにしても前記躯体がパイプである場合には内部の空洞部に水が浸入しない、パイプ等の材質に適した接合工法により施工をする。これにより躯体に浮力が生じる。
【００４１】
また、躯体２の形状を環状体にすると、躯体２に囲まれた内側は外側に比較して波浪の高さが低くなり潮流の速さが遅くなるので、垂下連１０に収容された二枚貝１２が摂餌している時間が長くなり二枚貝１２の収量増加が期待できる。
【００４２】
前記環状体は、平面視で、略円形状、略四角形状、略三角形状、略多角形状などいかなる形状であれ環状体であればよい。また、前記環状体を平面視で例えば図５〜図７、図１２に示すように大きさを適宜変えて並べた形状でもよい。また、前記線状体の組み合わせた形状は、平面視で、図４のように縦横に構成させた形状であっても、前記線状体を辺として四角形となるように組み合わせた形状であっても、前記線状体を辺として多角形となるように組み合わせた形状であっても、前記四角形状や多角形状のものの大きさを変えたものを並べた形状でもよい。但し、前記躯体２を水面に浮かせたときの前記躯体２自体の有効浮力を、前記躯体２自体に直接結束して垂下させる複数の前記垂下連１０の合計の水中重量より大きくすることを具備していなければならない。
【００４３】
また、二枚貝養殖筏１は、前記躯体２の形状が、前記図１（a）に示すように平面視で略円形状（躯体２ａ）、又は、図５、図６、図７に示すように、複数の略円形状を組み合わせた形状である。図５に示す躯体は略円形状の躯体２ｆ、２ｇを同心円状に２つ組み合わせた躯体であり、図６に示す躯体は略円形状の躯体２ｆ、２ｇ、２ｈを同心円状に３つ組み合わせた躯体であり、図７に示す躯体は略円形状の躯体２ｉを並列的に３つ組み合わせた躯体である。前記略円形状の組み合わせは、直径の異なる複数の円形状の組み合わせ、複数のそれぞれ直径の異なる円形状の同心円状の組み合わせ、複数の円形状の直列的、並列的、斜めの１列の組み合わせ、複数の円形状の直列的、並列的、斜めの複数列の組み合わせ等、いかなる配置の組み合わせでもよい。
【００４４】
また、図５に示す躯体２ｆ、２ｇ同士を躯体２と同じ材質の樹脂製部材の拘束手段３ｂで締付け、図６に示す躯体２ｆ、２ｇ、２ｈ同士を躯体２と同じ材質の樹脂製部材の拘束手段３ｃで締付け、図７に示す躯体２ｉ同士を躯体２と同じ材質の樹脂製部材の拘束手段３ｄで締付ける。これにより、個々の躯体間の間隔を一定化させる。
【００４５】
前記躯体２を図６に示すように略円形状の躯体２ｆ、２ｇ、２ｈを同心円状に３つ組み合わせたり、図４に示すように線状体の躯体２ｄ、２ｅを縦横に組み合わせたり、図１２に示すように大きさの異なる環状体の躯体２ｊ、２ｋ、２ｎを平面視で三重になるように組み合わせて拘束手段３ｅで固定させることによって、垂下連１０の垂下可能個所を拡大させることができ二枚貝１２の収量の増量を図ることができる。
【００４６】
次に、前記躯体２の材料は、水に腐食しにくい樹脂製パイプである。前記樹脂製パイプの種類としては、例えば、高密度ポリエチレンパイプ、低密度ポリエチレンパイプ、ポリプロピレンパイプ、ポリ塩化ビニルパイプ等がありいずれでもよいが、硬さや強さが優れている高密度ポリエチレンパイプが好ましい。
【００４７】
以上から、二枚貝養殖用の垂下連１０を２連以上垂下可能な躯体２を備え、前記躯体２を水面に浮かせたときの前記躯体２自体の有効浮力を、前記躯体２に垂下する前記垂下連１０合計の水中重量より大きくするためには、前記垂下連１０合計の水中重量を予め計算しその計算した水中重量より、計算で算出した前記躯体２自体の有効浮力が大きくなるように、前記躯体２の、環状体、線状体又はこれらを組み合わせた形状と、パイプ径・長さ等の大きさ、並びに、材質を設定する。
【００４８】
前記計算・設定例を説明する。図８に示すように、躯体２ａの材料として図１１に示すような高密度ポリエチレンパイプを使用することにし、円形状の躯体２ａからなる二枚貝養殖筏１を使用して垂下連１０をｎ連垂下させることにする。図８に示すように１つの垂下連１０の水中重量をＷ（ｋｇ）とする。躯体２ａに使用する資材２０を構成する材料の密度をα（ｋｇ／ｍ３）、躯体２ａに使用する資材２０の必要総長をＬ（ｍ）、水の密度をβ（ｋｇ／ｍ３）とする。躯体２ａはパイプであるので，図１１に示すようにパイプ断面のうち外径を２Ｒ（ｍ）、躯体２ａの内径を２ｒ（ｍ）とすると、躯体２ａに使用する資材２０の浮力を生じる部分の断面積をＳ（ｍ２）および躯体２ａに使用する資材２０の単位長さ当たりの重量Ａ（ｋｇ／ｍ）は、下記式で表される。
Ｓ＝πＲ２                                  （１）
Ａ＝π（Ｒ２−ｒ２）×α                    （２）
【００４９】
垂下連１０の水中重量Ｗ（ｋｇ）、垂下連１０の垂下数ｎ、躯体２ａに使用する資材２０の浮力を生じる部分の断面積をＳ（ｍ２）、躯体２ａに使用する資材２０の浮力を生じる部分全体の密度をα（ｋｇ／ｍ３）、水の密度βを知って、前記躯体２ａ自体の有効浮力Ｕ（ｋｇ）を、前記躯体２ａ自体に直接結束して垂下させる複数の前記垂下連１０の合計の水中重量（Ｗ×ｎ）より大きくするように躯体２ａに使用する資材２０の必要総長Ｌ（ｍ）を計算して求める。垂下連１０の水中重量Ｗ（ｋｇ）は垂下連１０を水中に沈下させて、そのときの重量を測定しその値を水中重量とする。
【００５０】
躯体２ａの浮力Ｆ、躯体２ａの重量ｗ、躯体２ａの有効浮力Ｕは、下記式で表される。
Ｕ＝Ｆ−ｗ                              （３）
躯体２ａの浮力Ｆは，式（１）から，下記式で表される。
Ｆ＝Ｓ×Ｌ×β＝πＲ２×Ｌ×β           （４）
躯体２ａの重量ｗは，式（２）から，下記式で表される。
ｗ＝Ａ×Ｌ＝π（Ｒ２−ｒ２）×α×Ｌ      （５）
式（３），（４），（５）より，有効浮力Ｕは下記式で表される。
Ｕ＝πＲ２×Ｌ×β−π（Ｒ２−ｒ２）×α×Ｌ    （６）
躯体２ａの有効浮力Ｕと垂下連１０の水中重量Ｗ及び垂下連数ｎ（連）の関係は下記式で表される。
Ｕ＞Ｗ×ｎ                                   （７）
（６）、（７）式を書き換えると、
πＲ２×Ｌ×β−π（Ｒ２−ｒ２）×α×Ｌ＞Ｗ×ｎ（８）
【００５１】
よって、（８）式から、躯体２ａの長さＬは下記式で表される。
Ｌ＞Ｗ×ｎ／（πＲ２×β−π（Ｒ２−ｒ２）×α） （９）
【００５２】
垂下連１０の水中重量Ｗを５０ｋｇ、垂下連１０の垂下数ｎを５０連、躯体２ａのパイプ断面の外径２Ｒを０．２ｍ、躯体２ａのパイプ断面の内径２ｒを０．１６ｍ、躯体２ａの密度αを９５０ｋｇ／ｍ３、水の密度βを１０００ｋｇ／ｍ３とした場合の躯体２ａの長さＬを（９）式に当てはめて求める。
Ｌ＞３０．２５ｍ                      （１０）
躯体２ａ上に作業者が乗ったりするので安全率を１．５倍とする。このときの躯体２ａの長さＬを求める。
Ｌ＝４６ｍ（３０．２５×１．５）      （１１）
このときの平面視で円形状の躯体２ａの直径Ｒ１を求める。
Ｒ１＝１５ｍ（４６／π）              （１２）
【００５３】
したがって、計算結果の式（１０）〜（１２）より、垂下連１０の水中重量Ｗを５０ｋｇ、垂下連１０の垂下数ｎを５０連、躯体２ａの外径２Ｒを０．２ｍ、躯体２ａの内径２ｒを０．１６ｍ、躯体２ａの密度αを９５０ｋｇ／ｍ３、水の密度βを１０００ｋｇ／ｍ３とした場合の躯体２ａの平面視での円形状の直径は１５ｍとなる。よって、水中重量Ｗが５０ｋｇの垂下連１０を５０連ほど垂下できる二枚貝養殖筏１を製作する場合には、高密度ポリエチレンの外径０．２ｍ、内径０．１６ｍのパイプで直径１５ｍの円形状の躯体２ａを製作すればよい。
【００５４】
前記垂下連１０が、図１０に示すように、二枚貝１２を収容可能で、側面壁や底面壁や上面壁等のすべての壁面が水流出入可能な形状に形成された養殖容器１１で構成されている。養殖容器１１は格子状の壁で構成されているので、海中に存在するプランクトン等の二枚貝１２の餌が養殖容器１１内に流出入しやすいので二枚貝１２の生育が促進される。
【００５５】
次に、二枚貝養殖方法は、躯体２自体に二枚貝養殖用の垂下連１０を２連以上垂下させ、前記躯体２を水面に浮かせたときの前記躯体２自体の有効浮力を、前記躯体２自体に直接結束して垂下させる複数の前記垂下連１０の合計の水中重量より大きくすることにより、前記躯体２自体の有効浮力のみで複数の前記垂下連１０を垂下可能とさせている。すなわち、二枚貝養殖方法は、二枚貝養殖筏１を使用して二枚貝１２の養殖を行う方法である。
【００５６】
そして、二枚貝養殖筏１は、図８に示すように略円形状の躯体２ａ自体に複数の垂下連１０をロープ４ａで直接に結束して垂下させて使用し、図９に示すように水面８に線状体の躯体２ｃを浮かべて前記躯体２ｃ自体に複数の垂下連１０をロープ４ｂで直接に結束して垂下させて使用する。
【００５７】
次に、二枚貝養殖筏での実施例を説明する。平成３０年１１月２２日から平成３１年１月２４日までの６５日間、図１０に示すような養殖容器１１を用いて、広島県江田島市深江漁協管理のかき養殖場で試験養殖した。二枚貝養殖筏１は図５に示すような躯体２ｆ、２ｇの形状のものを使用した。また、比較例として、実施例と同じ時期で同じ養殖場所で同じ養殖容器１０で、従来の竹筏を使用して養殖した。計測スタート時と同じロットの二枚貝１２を、本発明の躯体２使用の二枚貝養殖筏１と竹筏とに垂下させて試験養殖した。その養殖された牡蠣を剥き身にして剥き身重量を測定した。その結果を表１に示す。
【００５８】
2020150857.tif 000003
【００５９】
表１から、剥き身重量で比較すると、従来の竹筏の場合は平均値が９．６３ｇであるのに対して、本発明の躯体２ｆ、２ｇを用いた場合は平均値が１２．０５ｇとなり、約１．３倍の収量の増加が得られた。これは、躯体によって、躯体２ｆ、２ｇの内側が波浪の高さや潮流の速さが躯体２ｆ、２ｇの外側に比較して抑制されたことにより二枚貝１２の摂餌時間が長くなったためと推察できる。
【符号の説明】
【００６０】
１          二枚貝養殖筏
２          躯体
３          拘束手段
４          ロープ
８          水面
１０        垂下連
１１        養殖容器
１２        二枚貝
２０        資材
【図１】
2020150857.tif 000004
【図２】
2020150857.tif 000005
【図３】
2020150857.tif 000006
【図４】
2020150857.tif 000007
【図５】
2020150857.tif 000008
【図６】
2020150857.tif 000009
【図７】
2020150857.tif 000010
【図８】
2020150857.tif 000011
【図９】
2020150857.tif 000012
【図１０】
2020150857.tif 000013
【図１１】
2020150857.tif 000014
【図１２】
2020150857.tif 000015